(57)【要約】  【課題】自動販売機の商品のまとめ買いが短時間かつ容易な操作で可能となり、販売促進効果が向上し自動販売機の売り上げをさらに増やすこととする。  【解決手段】主制御部２００ａは、商品選択手段１５２にて商品が選択される毎に選択された商品情報を記憶手段１５３に記憶し、個人情報と商品情報が演算制御手段１５５により認証されたとき、記憶手段１５３に記憶された商品を商品搬出手段１５４にて搬出することとなるので自動販売機１５０の商品のまとめ買いが短時間かつ容易な操作で可能となり、販売促進効果を向上し自動販売機１５０の売り上げをさらに増やすことができる。【選択図】図１
2006331165.tif 000002
【特許請求の範囲】
【請求項１】
非接触媒体と通信するための通信手段と、商品を選択するための商品選択手段と、前記通信手段と前記商品選択手段から得られた個人情報と商品情報を処理するための演算制御手段と、前記商品選択手段にて選択された商品情報や前記演算制御手段による演算結果や個人情報を記憶するための記憶手段と、前記記憶手段に記憶された商品を搬出するための商品搬出手段と、前記通信手段と前記商品選択手段と前記演算制御手段と前記記憶手段と前記商品搬出手段とを制御するための主制御部を備え、前記主制御部は、前記商品選択手段にて商品が選択される毎に選択された商品情報を前記記憶手段に記憶し、非接触媒体の利用者の個人情報と前記記憶手段に記憶された商品情報が前記演算制御手段により認証されたとき、前記記憶手段に記憶された商品を前記商品搬出手段にて搬出することを特徴とした自動販売機の制御装置。
【請求項２】
演算制御手段に、商品選択手段にて選択された商品を後払いで購入するための後払い処理部を備え、記憶手段に記憶された選択商品の合計金額が非接触媒体から受信した金額データを超えるとき、前記後払い処理部にて選択商品の販売を許可し、記憶手段に記憶された選択商品を商品搬出手段にて搬出することを特徴とした請求項１に記載の自動販売機の制御装置。
【請求項３】
商品選択手段に、記憶手段に記憶された選択商品数を減らすための選択手段を備え、記憶手段に記憶された選択商品数を前記選択手段にて調整することを特徴とした請求項１または２に記載の自動販売機の制御装置。
【請求項４】
商品選択手段に、記憶手段に記憶された選択商品の情報をクリアするための選択手段を備え、記憶手段に記憶された選択商品の情報を前記選択手段にて取消すことを特徴とした請求項１から３のいずれか一項に記載の自動販売機の制御装置。
【請求項５】
演算制御手段に、個人情報を記憶手段に記憶するための個人情報設定部を備え、非接触媒体から受信した個人情報が記憶手段に記憶されていないとき、非接触媒体から受信した個人情報を前記個人情報設定部にて記憶手段に記憶することを特徴とした請求項１から４のいずれか一項に記載の自動販売機の制御装置。
【発明の詳細な説明】
【技術分野】
【０００１】
本発明は、携帯電話などの非接触式媒体を利用して自動販売機の商品を購入できるようにした自動販売機の制御装置に関するものである。
【背景技術】
【０００２】
従来、この種の自動販売機の制御装置は、非接触式のＩＣカードまたは非接触式端末を自動販売機にかざすことにより、商品を購入できる方式が知られている（例えば、特許文献１参照）。
【０００３】
図１１は、特許文献１に記載された従来の自動販売機の制御装置の機能ブロック図を示すものである。図１１に示すように、商品を選択するための商品選択手段１と、非接触式端末２と常時交信可能な状態とする交信手段３と、選択された商品を搬出するための商品搬出手段４と、販売待機状態において、先に商品選択手段１による選択あるいは先に非接触式携帯との交信かを判別する手段とから構成されている。
【０００４】
以上のように構成された自動販売機の制御装置について、以下その動作を説明する。
【０００５】
まず、販売待機状態において先に商品選択手段１による選択であると判別したときには、商品選択後に非接触式端末２との決済が交信手段３により正常に行われた後、商品搬出手段４により商品の搬出を行い、販売待機状態において先に非接触式端末２による交信であると判別したときには、非接触式端末２との交信が正常に行われた後に商品選択が行われ、その後決済が正常に行われることにより商品の搬出を行うものとなる。
【特許文献１】特開２００４−１１０７６１号公報
【発明の開示】
【発明が解決しようとする課題】
【０００６】
しかしながら、上記従来の構成では、販売待機状態において先に商品選択手段１による選択であると判別したときには、商品選択後に非接触式端末２との決済が交信手段３により正常に行われた後、商品搬出手段４により商品の搬出を行い、販売待機状態において先に非接触式端末２による交信であると判別したときには、非接触式端末２との交信が正常に行われた後に商品選択が行われ、その後決済が正常に行われることにより商品の搬出を行っていたので、まとめ買いするのに多くの時間と購入操作を要していたため、自動販売機でまとめ買いをする消費者数が少なく、販売促進効果が低いという課題を有していた。
【０００７】
本発明は、上記従来の課題を解決するもので、自動販売機の商品のまとめ買いが短時間かつ容易な操作で可能となり、販売促進効果が向上し自動販売機の売り上げをさらに増やすこととした自動販売機の制御装置を提供することを目的とする。
【課題を解決するための手段】
【０００８】
上記従来の課題を解決するために、本発明の自動販売機の制御装置は、非接触媒体と通信するための通信手段と、商品を選択するための商品選択手段と、前記通信手段と前記商品選択手段から得られた個人情報と商品情報を処理するための演算制御手段と、前記商品選択手段にて選択された商品情報や前記演算制御手段による演算結果や個人情報を記憶するための記憶手段と、前記記憶手段に記憶された商品を搬出するための商品搬出手段と、前記通信手段と前記商品選択手段と前記演算制御手段と前記記憶手段と前記商品搬出手段とを制御するための主制御部を備えるとしたものである。
【０００９】
これによって、前記主制御部は、前記商品選択手段にて商品が選択される毎に選択された商品情報を前記記憶手段に記憶し、非接触媒体の利用者の個人情報と前記記憶手段に記憶された商品情報が前記演算制御手段により認証されたとき、前記記憶手段に記憶された商品を前記商品搬出手段にて搬出することとなる。
【発明の効果】
【００１０】
本発明の自動販売機の制御装置は、自動販売機の商品のまとめ買いが短時間かつ容易な操作で可能となり、販売促進効果が向上し自動販売機の売り上げをさらに増やすことができる。
【発明を実施するための最良の形態】
【００１１】
請求項１に記載の発明は、非接触媒体と通信するための通信手段と、商品を選択するための商品選択手段と、前記通信手段と前記商品選択手段から得られた個人情報と商品情報を処理するための演算制御手段と、前記商品選択手段にて選択された商品情報や前記演算制御手段による演算結果や個人情報を記憶するための記憶手段と、前記記憶手段に記憶された商品を搬出するための商品搬出手段と、前記通信手段と前記商品選択手段と前記演算制御手段と前記記憶手段と前記商品搬出手段とを制御するための主制御部を備え、前記主制御部は、前記商品選択手段にて商品が選択される毎に選択された商品情報を前記記憶手段に記憶し、非接触媒体の利用者の個人情報と前記記憶手段に記憶された商品情報が前記演算制御手段により認証されたとき、前記記憶手段に記憶された商品を前記商品搬出手段にて搬出することにより、自動販売機の商品のまとめ買いが短時間かつ容易な操作で可能となり、販売促進効果が向上し自動販売機の売り上げをさらに増やすことができる。
【００１２】
請求項２に記載の発明は、請求項１に記載の発明の演算制御手段に、商品選択手段にて選択された商品を後払いで購入するための後払い処理部を備え、記憶手段に記憶された選択商品の合計金額が非接触媒体から受信した金額データを超えるとき、前記後払い処理部にて選択商品の販売を許可し、記憶手段に記憶された選択商品を商品搬出手段にて搬出することにより、万が一、選択商品の合計金額が非接触媒体から受信した金額データを超えたとき、後払いで選択商品の販売ができ、さらに販売機会が増え、自動販売機の売り上げを増やすことができる。
【００１３】
請求項３に記載の発明は、請求項１または２に記載の発明の商品選択手段に、記憶手段に記憶された選択商品数を減らすための選択手段を備え、記憶手段に記憶された選択商品数を前記選択手段にて調整することにより、選択商品数を変更したいとき、最初から選択商品を選択する必要がなくなり、選択商品数を決定するまでの時間を短縮でき、より短時間で選択商品の販売が可能となる。
【００１４】
請求項４に記載の発明は、請求項１から３のいずれか一項に記載の発明の商品選択手段に、記憶手段に記憶された選択商品の情報をクリアするための選択手段を備え、記憶手段に記憶された選択商品の情報を前記選択手段にて取消すことにより、複数の商品を複数選択後、最初から商品の選択をし直したいとき、選択商品を一括して取消すことができるので、選択商品を決定するまでの時間を短縮でき、より短時間で選択商品の販売が可能となる。
【００１５】
請求項５に記載の発明は、請求項１から４のいずれか一項に記載の発明の演算制御手段に、個人情報を記憶手段に記憶するための個人情報設定部を備え、非接触媒体から受信した個人情報が記憶手段に記憶されていないとき、非接触媒体から受信した個人情報を前記個人情報設定部にて記憶手段に記憶することにより、初めて非接触媒体で商品を購入する利用者が複雑な登録をする必要なしに選択商品を購入できるので、より多くの人に商品を販売できより一層販売機会を増やすことができる。
【００１６】
以下、本発明の実施の形態について、図面を参照しながら説明するが、従来例または先に説明した実施の形態と同一構成については同一符号を付して、その詳細な説明は省略する。なお、この実施の形態によって本発明が限定されるものではない。
【００１７】
（実施の形態１）
図１は、本発明の実施の形態１における自動販売機の制御装置の機能ブロック図を示すものである。
【００１８】
図２は、本発明の実施の形態１における自動販売機の制御装置の動作、作用を示すフローチャートである。
【００１９】
図１において、非接触媒体１００、ＩＣカード、ＩＣタグ、携帯電話、ＰＤＡなどの各種機器が考えられ、自動販売機１５０との交信方法も電波（電磁誘導方式など）や無線やＩｒＤＡ（赤外線通信）に対応している。また、自動販売機１５０に対し、非接触媒体１００に予め記憶されている認証ＩＤや金額データ等を送受信するものである。通信手段１５１は、非接触媒体１００に対し認証ＩＤや金額データ等を送受信するためのリーダライタ１５１ａとこのリーダライタ１５１ａを制御するための通信制御部１５１ｂから構成されている。商品選択手段１５２は、各商品に対する選択ボタンＡ１５２ａと選択ボタンＡ１５２ａに内蔵されている販売可能ランプ１５２ｂから構成されており、選択ボタンＡ１５２ａは、各商品を収納する複数のコラム１５４ａ（Ｎｏ．１からＮｏ．ｎ）に対応しており、価格Ａ円から価格Ｎ円が予め設定されている。また、販売可能ランプ１５２ｂは、選択ボタンＡ１５２ａにて選択された商品の販売が可能であることを知らせるためのものである。記憶手段１５３は、各選択ボタンＡ１５２ａに対応している商品のコラムＮｏと商品価格を記憶するための商品情報記憶部１５３ａと、選択ボタンＡ１５２ａにて選択された商品の合計本数と合計金額を記憶するための選択商品記憶部１５３ｂと、非接触媒体１００で自動販売機１５０の商品を購入するために必要な認証ＩＤ（生年月日など）を記憶するための個人情報記憶部１５３ｃとから構成されている。商品搬出手段１５４は、商品を収納しているコラム１５４ａから選択商品記憶部１５３ｂに記憶された商品を搬出するための商品搬出機構１５４ｂである。演算制御手段１５５は、選択ボタンＡ１５２ａにて選択された商品の合計本数と合計金額を演算するための選択商品演算部１５５ａと、非接触媒体１００から受信した認証ＩＤと個人情報記憶部１５３ｃに予め記憶されている認証ＩＤが一致するか演算するための個人情報識別部１５５ｂと、非接触媒体１００から受信した金額データから選択ボタンＡ１５２ａにて選択された商品の合計金額を減算するための精算処理部１５５ｃとから構成されている。主制御部２００ａは、リーダライタ１５１ａと通信制御部１５１ｂと選択ボタンＡ１５２ａと販売可能ランプ１５２ｂと商品情報記憶部１５３ａと選択商品記憶部１５３ｂと個人情報記憶部１５３ｃと商品搬出機構１５４ｂと選択商品演算部１５５ａと個人情報識別部１５５ｂと精算処理部１５５ｃを制御するものである。
【００２０】
以上のように構成された自動販売機１５０の制御装置について、以下その動作、作用を説明する。
【００２１】
まず、図２において、待機状態（ステップ１０１）において、選択ボタンＡ１５２ａが押されると（ステップ１０２）、主制御部２００ａは選択ボタンＡ１５２ａにて選択された商品価格を商品情報記憶部１５３ａから確認する（ステップ１０３）。更にその販売可能ランプ１５２ｂを点灯させ、他の販売可能ランプ１５２ｂを消灯させる（ステップ１０４）。
【００２２】
そして、選択商品演算部１５５ａは選択商品合計本数を１本加算し、選択商品合計金額を商品情報記憶部１５３ａから確認した商品価格の分だけ加算する（ステップ１０５）。更にそれらの選択商品合計本数と選択商品合計金額を選択商品記憶部１５３ｂに記憶する（ステップ１０６）。
【００２３】
ここで利用者が新たに商品を選択したい場合は、希望する選択ボタンＡ１５２ａを押すことでステップ１０３からステップ１０６の動作が繰り返され、複数の選択商品の合計本数と合計金額が選択商品記憶部１５３ｂに記憶される（ステップ１０６）。そして、ステップ１０２で商品の選択が終了すると、利用者は選択商品を購入するために非接触媒体１００をリーダライタ１５１ａにかざすと、リーダライタ１５１ａを制御する通信制御部１５１ｂが非接触媒体１００からの通信を検知し（ステップ１０７）、非接触媒体１００から認証ＩＤや金額データを受信すると共に、主制御部２００ａへ送信する（ステップ１０８）。そして、利用者が非接触媒体１００にて選択商品を購入する権利があるかどうか個人情報識別部１５５ｂにて識別する（ステップ１０９）。
【００２４】
ステップ１０９で、非接触媒体１００から受信した認証ＩＤと予め個人情報記憶部１５３ｃに記憶されている認証ＩＤを個人情報識別部１５５ｂにて比較し、両者が一致しない場合は主制御部２００ａに認証ＩＤ・ＮＧデータを送信する。そして、主制御部２００ａがこの認証ＩＤ・ＮＧデータを受信すると、ステップ１０６で選択商品記憶部１５３ｂに記憶された選択商品合計本数と選択商品合計金額を零に変更し（ステップ１１３）、選択商品記憶部１５３ｂに記憶する（ステップ１１４）。
【００２５】
一方、ステップ１０９で両者の認証ＩＤが一致する場合は主制御部２００ａに認証ＩＤ・ＯＫデータを送信する。そして、主制御部２００ａがこの認証ＩＤ・ＯＫデータを受信すると、選択商品の合計金額が利用者の予算以内かどうか精算処理部１５５ｃにて識別する（ステップ１１０）。ステップ１１０で、非接触媒体１００から受信した金額データから選択商品記憶部１５３ｂに記憶されている選択商品の合計金額を精算処理部１５５ｃにて減算し、演算結果がマイナスの場合（金額データ＜選択商品の合計金額）は主制御部２００ａに商品搬出・ＮＧデータを送信する。
【００２６】
そして、主制御部２００ａがこの商品搬出・ＮＧデータを受信すると、ステップ１０６で選択商品記憶部１５３ｂに記憶された選択商品合計本数と選択商品合計金額を零に変更し（ステップ１１３）、選択商品記憶部１５３ｂに記憶する（ステップ１１４）。
【００２７】
一方、ステップ１１０で精算処理部１５５ｃの演算結果がプラスの場合は（金額データ≧選択商品の合計金額）主制御部２００ａに商品搬出・ＯＫデータを送信する。そして、主制御部２００ａがこの商品搬出・ＯＫデータを受信すると、商品搬出機構１５４ｂにて選択商品記憶部１５３ｂに記憶されている選択商品を搬出する（ステップ１１１）。
【００２８】
そして、商品搬出機構１５４ｂによる選択商品の搬出が終了すると、ステップ１１０で精算処理部１５５ｃにより演算された選択商品購入後の金額データを主制御部２００ａに送信後、通信制御部１５１ｂによりリーダライタ１５１ａを介して非接触媒体１００へ送信する（ステップ１１２）。更に、ステップ１０６で選択商品記憶部１５３ｂに記憶された選択商品合計本数と選択商品合計金額を零に変更し（ステップ１１３）、選択商品記憶部１５３ｂに記憶する（ステップ１１４）ことで、商品の選択から購入までの一連の動作が終了する。
【００２９】
以上のように本実施の形態においては非接触媒体１００と通信するための通信手段１５１と、商品を選択するための商品選択手段１５２と、通信手段１５１と商品選択手段１５２から得られた個人情報と商品情報を処理するための演算制御手段１５５と、商品選択手段１５２にて選択された商品情報や演算制御手段１５５による演算結果や個人情報を記憶するための記憶手段１５３と、記憶手段１５３に記憶された商品を搬出するための商品搬出手段１５４と、通信手段１５１と商品選択手段１５２と演算制御手段１５５と記憶手段１５３と商品搬出手段１５４とを制御するための主制御部２００ａを備えることにより、主制御部２００ａは、商品選択手段１５２にて商品が選択される毎に選択された商品情報を記憶手段１５３に記憶し、非接触媒体１００の利用者の個人情報と記憶手段１５３に記憶された商品情報が演算制御手段１５５により認証されたとき、記憶手段１５３に記憶された商品を商品搬出手段１５４にて搬出することとなり、自動販売機１５０の商品のまとめ買いが短時間かつ容易な操作で可能となり、販売促進効果が向上し自動販売機１５０の売り上げをさらに増やすことができる。
【００３０】
（実施の形態２）
図３は、本発明の実施の形態２の自動販売機の制御装置の機能ブロック図を示すものである。
【００３１】
図４は、本発明の実施の形態２の自動販売機の制御装置の動作、作用を示すフローチャートである。
【００３２】
図３において、後払い処理部１５５ｄは、非接触媒体１００から後払い要求を受信すると、非接触媒体１００から受信した金額データが選択商品記憶部１５３ｂに記憶されている選択商品の合計金額未満の場合においても、選択商品を購入可能としたものである。
【００３３】
以上のように構成された自動販売機１５０の制御装置について、以下その動作、作用を説明する。
【００３４】
まず、図４において、ステップ１０９までの動作は本発明の実施の形態１の動作と同一のため説明を省略する。ステップ１０９で、非接触媒体１００から受信した認証ＩＤと予め個人情報記憶部１５３ｃに記憶されている認証ＩＤを個人情報識別部１５５ｂにて比較し、両者が一致しない場合は主制御部２００ｂに認証ＩＤ・ＮＧデータを送信する。そして、主制御部２００ｂがこの認証ＩＤ・ＮＧデータを受信すると、ステップ１０６で選択商品記憶部１５３ｂに記憶された選択商品合計本数と選択商品合計金額を零に変更し処理を終了する（ステップ１１３）。
【００３５】
一方、ステップ１０９で両者の認証ＩＤが一致する場合は主制御部２００ｂに認証ＩＤ・ＯＫデータを送信する。そして、主制御部２００ｂがこの認証ＩＤ・ＯＫデータを受信すると、選択商品の合計金額が利用者の予算以内かどうか精算処理部１５５ｃにて識別する（ステップ１１０）。
【００３６】
ステップ１１０で、非接触媒体１００から受信した金額データから選択商品記憶部１５３ｂに記憶されている選択商品の合計金額を精算処理部１５５ｃにて減算し、演算結果がマイナスの場合（金額データ＜選択商品の合計金額）は後払い手段１５５ｄにて商品搬出・ＮＧデータを商品搬出・ＯＫデータに変換し、主制御部２００ｂに商品搬出・ＯＫデータを送信する（ステップ２０２）。この場合、非接触媒体１００が携帯電話の場合、電話料金として請求しマイナス金額分を回収するものです。
【００３７】
一方、ステップ１１０で精算処理部１５５ｃの演算結果がプラスの場合（金額データ≧選択商品の合計金額）も主制御部２００ｂに商品搬出・ＯＫデータを送信する（ステップ１１０）。そして、主制御部２００ｂがこの商品搬出・ＯＫデータを受信すると、商品搬出機構１５４ｂにて選択商品記憶部１５３ｂに記憶されている選択商品を搬出する（ステップ１１１）。
【００３８】
そして、商品搬出機構１５４ｂによる選択商品の搬出が終了すると、ステップ１１０で精算処理部１５５ｃにより演算された選択商品購入後のマイナスの金額データを主制御部２００ｂに送信後、通信制御部１５１ｂによりリーダライタ１５１ａを介して非接触媒体１００へ送信する（ステップ２０３）。更に、ステップ１０６で選択商品記憶部１５３ｂに記憶された選択商品合計本数と選択商品合計金額をクリアし（ステップ１１３）、選択商品記憶部１５３ｂに記憶する（ステップ１１４）ことで、商品の選択から購入までの一連の動作が終了する。
【００３９】
以上のように本実施の形態においては演算制御手段１５５に、商品選択手段１５２にて選択された商品を後払いで購入するための後払い処理部１５５ｄを備えることで、記憶手段１５３に記憶された選択商品の合計金額が非接触媒体１００から受信した金額データを超えるとき、後払い処理部１５５ｄにて選択商品の販売を許可し、記憶手段１５３に記憶された選択商品を商品搬出手段１５４にて搬出することとなり、万が一、選択商品の合計金額が非接触媒体１００から受信した金額データを超えたとき、後払いで選択商品の販売ができ、さらに販売機会が増え、自動販売機１５０の売り上げを増やすことができる。
【００４０】
（実施の形態３）
図５は、本発明の実施の形態３の自動販売機の制御装置の機能ブロック図を示すものである。
【００４１】
図６は、本発明の実施の形態３の自動販売機の制御装置の動作、作用を示すフローチャートである。
【００４２】
図５において、選択ボタンＡ１５２ａは、商品情報記憶部１５３ａに記憶されている選択商品の合計本数を加算するものである。選択ボタンＢ１５２ｃは、商品情報記憶部１５３ａに記憶されている選択商品の合計本数を減算するものである。
【００４３】
以上のように構成された自動販売機１５０の制御装置について、以下その動作、作用を説明する。
【００４４】
まず、図６において、待機状態（ステップ１０１）において、選択ボタンＡ１５２ａが押されると（ステップ１０２）、主制御部２００ｃは選択ボタンＡ１５２ａにて選択された商品価格を商品情報記憶部１５３ａから確認する（ステップ１０３）。更にその販売可能ランプ１５２ｂを点灯させ、他の販売可能ランプ１５２ｂを消灯させる（ステップ１０４）。
【００４５】
そして、選択商品演算部１５５ａは選択商品合計本数を１本加算し、選択商品合計金額を商品情報記憶から確認した商品価格の分だけ加算する（ステップ１０５）。更にそれらの選択商品合計本数と選択商品合計金額を選択商品記憶部１５３ｂに記憶する（ステップ３０３）。一方、選択ボタンＢ１５２ｃが押されると（ステップ３０１）、主制御部２００ｃは選択ボタンＢ１５２ｃにて選択された商品価格を商品情報記憶部１５３ａから確認する（ステップ１０３）。
【００４６】
更にその販売可能ランプ１５２ｂを点灯させ、他の販売可能ランプ１５２ｂを消灯させる（ステップ１０４）。そして、選択商品演算部１５５ａは選択商品合計本数を１本減算し、選択商品合計金額を商品情報記憶から確認した商品価格の分だけ減算する（ステップ３０２）。更にそれらの選択商品合計本数と選択商品合計金額を選択商品記憶部１５３ｂに記憶する（ステップ３０３）。
【００４７】
ここで利用者がさらに選択商品の変更を行いたい場合は、希望する選択ボタンＡ１５２ａまたは選択ボタンＢ１５２ｃを押すことでステップ１０２からステップ３０３までの動作が繰り返され、複数の選択商品の合計本数と合計金額が選択商品記憶部１５３ｂに記憶される（ステップ３０３）。
【００４８】
そして、ステップ１０２またはステップ３０１の商品の選択が終了すると、利用者は選択商品を購入するために非接触媒体１００をリーダライタ１５１ａにかざすと、リーダライタ１５１ａを制御する通信制御部１５１ｂが非接触媒体１００からの通信を検知し（ステップ１０７）、非接触媒体１００から認証ＩＤや金額データや後払い要求を受信すると共に、主制御部２００ｃへ送信する（ステップ２０１）。ステップ２０１以降の動作は、本発明の実施の形態１または実施の形態２と同一のため説明を省略する。
【００４９】
以上のように本実施の形態においては商品選択手段１５２に、記憶手段１５３に記憶された選択商品数を減らすための選択ボタンＢ１５２ｃを備えることにより、記憶手段１５３に記憶された選択商品数を選択ボタンＢ１５２ｃにて調整することとなり、選択商品数を変更したいとき、最初から選択商品を選択する必要がなくなり、選択商品数を決定するまでの時間を短縮でき、より短時間で選択商品の販売が可能となる。
【００５０】
（実施の形態４）
図７は、本発明の実施の形態４の自動販売機の制御装置の機能ブロック図を示すものである。
【００５１】
図８は、本発明の実施の形態４の自動販売機の制御装置の動作、作用を示すフローチャートである。
【００５２】
図７において、選択ボタンＣ１５２ｄは、選択商品記憶部１５３ｂに記憶された選択商品の合計金額と合計本数を零に変更するものである。
【００５３】
以上のように構成された自動販売機１５０の制御装置について、以下その動作、作用を説明する。
【００５４】
まず、図８において、待機状態（ステップ１０１）において、選択ボタンＡ１５２ａが押されると（ステップ１０２）、主制御部２００ｄは選択ボタンＡ１５２ａにて選択された商品価格を商品情報記憶部１５３ａから確認する（ステップ１０３）。更にその販売可能ランプ１５２ｂを点灯させ、他の販売可能ランプ１５２ｂを消灯させる（ステップ１０４）。
【００５５】
そして、選択商品演算部１５５ａは選択商品合計本数を１本加算し、選択商品合計金額を商品情報記憶部１５３ａから確認した商品価格の分だけ加算する（ステップ１０５）。更にそれらの選択商品合計本数と選択商品合計金額を選択商品記憶部１５３ｂに記憶する（ステップ４０３）。一方、選択ボタンＢ１５２ｃが押されると（ステップ３０１）、主制御部２００ｄは選択ボタンＢ１５２ｃにて選択された商品価格を商品情報記憶部１５３ａから確認する（ステップ１０３）。更にその販売可能ランプ１５２ｂを点灯させ、他の販売可能ランプを１５２ｂ消灯させる（ステップ１０４）。
【００５６】
そして、選択商品演算部１５５ａは選択商品合計本数を１本減算し、選択商品合計金額を商品情報記憶部１５３ａから確認した商品価格の分だけ減算する（ステップ３０２）。更にそれらの選択商品合計本数と選択商品合計金額を選択商品記憶部１５３ｂに記憶する（ステップ４０３）。
【００５７】
また、選択ボタンＣ１５２ｄが押されると（ステップ４０１）、主制御部２００ｄは選択商品記憶部１５３ｂに記憶された選択商品の合計金額と合計本数を零に変更し（ステップ４０２）、選択商品記憶部１５３ｂに記憶する（ステップ４０３）。ここで利用者がさらに選択商品の変更を行いたい場合は、希望する選択ボタンＡ１５２ａまたは選択ボタンＢ１５２ｃまたは選択ボタンＣ１５２ｄを押すことでステップ１０２からステップ４０３までの動作が繰り返され、複数の選択商品の合計本数と合計金額が選択商品記憶部１５３ｂに記憶される（ステップ４０３）。
【００５８】
そして、ステップ１０２またはステップ３０１またはステップ４０１の商品の選択が終了すると、利用者は選択商品を購入するために非接触媒体１００をリーダライタ１５１ａにかざすと、リーダライタ１５１ａを制御する通信制御部１５１ｂが非接触媒体１００からの通信を検知し（ステップ１０７）、非接触媒体１００から認証ＩＤや金額データや後払い要求を受信すると共に、主制御部２００ｄへ送信する（ステップ２０１）。ステップ２０１以降の動作は、本発明の実施の形態１または実施の形態２と同一のため説明を省略する。
【００５９】
以上のように本実施の形態においては商品選択手段１５２に、記憶手段１５３に記憶された選択商品の情報をクリアするための選択ボタンＣ１５２ｄを備えることにより、記憶手段１５３に記憶された選択商品の情報を選択ボタンＣ１５２ｄにて取消すこととなり、複数の商品を複数選択後、最初から商品の選択をし直したいとき、選択商品を一括して取消すことができるので、選択商品を決定するまでの時間を短縮でき、より短時間で選択商品の販売が可能となる。
【００６０】
（実施の形態５）
図９は、本発明の実施の形態５の自動販売機の制御装置の機能ブロック図を示すものである。
【００６１】
図１０は、本発明の実施の形態５の自動販売機の制御装置の動作、作用を示すフローチャートである。
【００６２】
図９において、個人情報設定部１５５ｅは、非接触媒体１００から受信した認証ＩＤを個人情報記憶部１５３ｃに記憶するものである。
【００６３】
以上のように構成された自動販売機１５０の制御装置について、以下その動作、作用を説明する。
【００６４】
まず、図１０において、ステップ２０１までは本発明の実施の形態１から実施の形態４と同一のため説明を省略する。ここで、ステップ２０１で非接触媒体１００から認証ＩＤや金額データや後払い要求を受信すると共に、主制御部２００ｅへ送信すると、利用者が非接触媒体１００にて選択商品を購入する権利があるかどうか個人情報識別部１５５ｂにて識別する（ステップ１０９）。
【００６５】
ステップ１０９で、非接触媒体１００から受信した認証ＩＤと予め個人情報記憶部１５３ｃに登録されている認証ＩＤを個人情報識別部１５５ｂにて比較し、両者の認証ＩＤが一致する場合は主制御部２００ｅに認証ＩＤ・ＯＫデータを送信する。一方、ステップ１０９で両者の認証ＩＤが一致しない場合は主制御部２００ｅに認証ＩＤ・ＮＧデータを送信する。
【００６６】
そして、主制御部２００ｅがこの認証ＩＤ・ＮＧデータを受信すると、個人情報設定部１５５ｅにて非接触媒体１００から受信した認証ＩＤを個人情報記憶部１５３ｃに記憶し（ステップ５０１）、再度ステップ１０９の動作を行うと、両者の認証ＩＤが一致するため主制御部２００ｅに認証ＩＤ・ＯＫデータを送信する。ここで、ステップ１１０以降の動作は本発明の実施の形態２と同一のため説明を省略する。
【００６７】
以上のように本実施の形態においては演算制御手段１５５に、個人情報を記憶手段１５３に記憶するための個人情報設定部１５５ｅを備えることにより、非接触媒体１００から受信した個人情報が記憶手段１５３に記憶されていないとき、非接触媒体１００から受信した個人情報を個人情報設定部１５５ｅにて記憶手段１５３に記憶することとなり、初めて非接触媒体１００で商品を購入する利用者が複雑な登録をする必要なしに選択商品を購入できるので、より多くの人に商品を販売できより一層販売機会を増やすことができる。
【産業上の利用可能性】
【００６８】
以上のように、本発明にかかる自動販売機の制御装置は、自動販売機の商品のまとめ買いが短時間かつ容易な操作で可能となり、販売促進効果が向上し自動販売機の売り上げをさらに増やすことが可能となるので、自動販売機だけでなくスーパーやガソリンスタンド等のレジにおける無人精算等の用途にも適用できる。
【図面の簡単な説明】
【００６９】
【図１】本発明の実施の形態１における自動販売機の制御装置の機能ブロック図
【図２】本発明の実施の形態１における自動販売機の制御装置のフローチャート
【図３】本発明の実施の形態２における自動販売機の制御装置の機能ブロック図
【図４】本発明の実施の形態２における自動販売機の制御装置のフローチャート
【図５】本発明の実施の形態３における自動販売機の制御装置の機能ブロック図
【図６】本発明の実施の形態３における自動販売機の制御装置のフローチャート
【図７】本発明の実施の形態４における自動販売機の制御装置の機能ブロック図
【図８】本発明の実施の形態４における自動販売機の制御装置のフローチャート
【図９】本発明の実施の形態５における自動販売機の制御装置の機能ブロック図
【図１０】本発明の実施の形態５における自動販売機の制御装置のフローチャート
【図１１】従来の自動販売機の制御装置の機能ブロック図
【符号の説明】
【００７０】
１００  非接触媒体
１５０  自動販売機
１５１  通信手段
１５１ａ  リーダライタ
１５１ｂ  通信制御部
１５２  商品選択手段
１５２ａ  選択ボタンＡ
１５２ｂ  販売可能ランプ
１５２ｃ  選択ボタンＢ
１５２ｄ  選択ボタンＣ
１５３  記憶手段
１５３ａ  商品情報記憶部
１５３ｂ  選択商品記憶部
１５３ｃ  個人情報記憶部
１５４  商品搬出手段
１５４ａ  コラム
１５４ｂ  商品搬出機構
１５５  演算制御手段
１５５ａ  選択商品演算部
１５５ｂ  個人情報識別部
１５５ｃ  精算処理部
１５５ｄ  後払い処理部
１５５ｅ  個人情報設定部
２００ａ、２００ｂ、２００ｃ、２００ｄ、２００ｅ  自動販売機の主制御部
【図１】
2006331165.tif 000003
【図２】
2006331165.tif 000004
【図３】
2006331165.tif 000005
【図４】
2006331165.tif 000006
【図５】
2006331165.tif 000007
【図６】
2006331165.tif 000008
【図７】
2006331165.tif 000009
【図８】
2006331165.tif 000010
【図９】
2006331165.tif 000011
【図１０】
2006331165.tif 000012
【図１１】
2006331165.tif 000013